(57)【要約】【課題】ディマー機能および映像補正機能の両方を備える場合の製造工数を削減すること。【解決手段】照度センサ１１が、第１の抵抗１１３を用いて第１の照度値を出力するとともに、第１の回路よりも検出範囲が大きい第２の抵抗１１４を用いて第２の照度値を出力し、照度値補正部１４ｂが、第１の照度値を補正する補正係数を用いて第１の照度値および第２の照度値の双方を補正する。また、ディマー制御部１４ｄが、照度値補正部１４ｂによって補正された第１の照度値に基づき、表示パネル２１へ光を照射するバックライト２２の発光量を制御し、直射補正部１４ｃが、照度値補正部１４ｂによって補正された第２の照度値に基づき、表示パネル２１に対して表示される映像の視認性を向上させるように表示制御装置１０を構成する。【選択図】図２
2012220738.tif 000002
【特許請求の範囲】
【請求項１】
第１の回路を用いて第１の照度値を出力し、前記第１の回路よりも検出範囲が大きい第２の回路を用いて第２の照度値を出力する照度検出部と、
前記第１の照度値を補正するための補正係数を用いて前記第１の照度値および第２の照度値の双方を補正する照度値補正部と、
前記照度値補正部によって補正された前記第１の照度値に基づき、表示パネルへ光を照射するバックライトの発光量を制御するディマー制御部と、
前記照度値補正部によって補正された前記第２の照度値に基づき、前記表示パネルに対して表示される映像の視認性を向上させる映像補正部と
を備えることを特徴とする表示制御装置。
【請求項２】
前記補正係数は、
所定の基準光を前記照度検出部へ照射した場合における前記第１の照度値の実測値および理想値に基づいて算出されることを特徴とする請求項１に記載の表示制御装置。
【請求項３】
前記照度検出部からの出力を前記第１の照度値と前記第２の照度値との間で切り替える切替部
をさらに備え、
前記照度値補正部は、
前記照度検出部からの出力が前記第１の照度値に切り替わった状態である場合に、前記補正係数を用いて前記第１の照度値を補正したうえで前記ディマー制御部へ出力し、前記照度検出部からの出力が前記第２の照度値に切り替わった状態である場合に、前記補正係数を用いて前記第２の照度値を補正したうえで前記映像補正部へ出力することを特徴とする請求項１または２に記載の表示制御装置。
【請求項４】
前記切替部は、
前記第１の照度値と前記第２の照度値とを所定の切替周期で交互に切り替えることを特徴とする請求項３に記載の表示制御装置。
【請求項５】
前記切替部は、
前記第１の照度値へ切り替えてから前記第２の照度値へ切り替えるまでの第１の切替周期が前記第２の照度値へ切り替えてから前記第１の照度値へ切り替えるまでの第２の切替周期よりも長く設定されることを特徴とする請求項４に記載の表示制御装置。
【発明の詳細な説明】
【技術分野】
【０００１】
この発明は、表示制御装置に関する。
【背景技術】
【０００２】
従来、カーナビゲーション装置等の車載用表示装置には、照度センサを用いて表示パネルの周囲の明るさを検出し、検出結果に応じてバックライトの発光量を調整するディマー機能が設けられる場合がある。かかるディマー機能は、特に、周囲が暗い状況でのバックライトの消費電力を低減させたい場合に有効である。
【０００３】
また、車載用表示装置には、表示パネルに対して表示させる映像の画質（たとえば、コントラスト等）を照度センサの検出結果に応じて調整する映像補正機能が設けられる場合もある。かかる映像補正機能は、特に、周囲が明るい状況での表示パネルの視認性を向上させたい場合に有効である。
【０００４】
たとえば、特許文献１には、ディマー機能および映像補正機能の両方を備えた表示装置が開示されている。
【先行技術文献】
【特許文献】
【０００５】
【特許文献１】特開２００９−２７１５４４号公報
【発明の概要】
【発明が解決しようとする課題】
【０００６】
ところで、照度センサには検出精度に個体間のバラつきがある。このため、たとえば製品出荷前に、照度センサの出力値を適正な出力値へ補正するための補正係数を算出しておくことが好ましい。
【０００７】
しかしながら、特許文献１に記載の表示装置のようにディマー機能および映像補正機能の両方を備える場合に、たとえばディマー機能に適した照度レンジで校正処理を行うとともに映像補正機能に適した照度レンジでも校正処理を行うこととすると、製造工数が増えてしまうため、好ましくない。
【０００８】
開示の技術は、上述した従来技術による問題点を解消するためになされたものであり、ディマー機能および映像補正機能の両方を備える場合の製造工数を削減することができる表示制御装置を提供することを目的とする。
【課題を解決するための手段】
【０００９】
本願は、第１の回路を用いて第１の照度値を出力し、前記第１の回路よりも検出範囲が大きい第２の回路を用いて第２の照度値を出力する照度検出部と、前記第１の照度値を補正する補正係数を用いて前記第１の照度値および第２の照度値の双方を補正する照度値補正部と、前記照度値補正部によって補正された前記第１の照度値に基づき、表示パネルへ光を照射するバックライトの発光量を制御するディマー制御部と、前記照度値補正部によって補正された前記第２の照度値に基づき、前記表示パネルに対して表示される映像の視認性を向上させる映像補正部とを備える。
【発明の効果】
【００１０】
本願によれば、照度検出部が、第１の回路を用いて第１の照度値を出力し、第１の回路よりも検出範囲が大きい第２の回路を用いて第２の照度値を出力する。また、照度値補正部が、第１の照度値を補正する補正係数を用いて第１の照度値および第２の照度値の双方を補正する。そして、ディマー制御部が、照度値補正部によって補正された第１の照度値に基づき、表示パネルへ光を照射するバックライトの発光量を制御し、映像補正部が、照度値補正部によって補正された第２の照度値に基づき、表示パネルに対して表示される映像の視認性を向上させることとしたため、ディマー機能および映像補正機能の両方を備える場合の製造工数を削減することができるという効果を奏する。
【図面の簡単な説明】
【００１１】
【図１】図１は、本願に係る表示制御手法の概要を示す図である。
【図２】図２は、表示制御装置の構成を示すブロック図である。
【図３】図３は、第１の抵抗および第２の抵抗の検出範囲の一例を示す図である。
【図４】図４は、スイッチの切り替えタイミングの一例を示す図である。
【図５】図５は、ディマー制御用補正係数の算出処理を説明するための図である。
【図６】図６は、表示制御装置が実行する処理手順を示すフローチャートである。
【発明を実施するための形態】
【００１２】
以下に添付図面を参照して、本発明に係る表示制御装置の実施例を詳細に説明する。まず、実施例の詳細な説明に先立ち、本願に係る表示制御手法の概要について図１を用いて説明する。図１は、本願に係る表示制御手法の概要を示す図である。
【００１３】
図１に示すように、本願に係る表示制御手法において表示制御装置は、ディマー制御処理を行うディマー制御部および映像補正処理を行う映像補正部の双方を備える。ディマー制御処理とは、表示パネル周辺の照度を検出する照度検出部からの出力値に基づいて、バックライトの発光量を制御する処理である。また、映像補正処理とは、照度検出部からの出力値に基づいて、映像の画質を調整する処理である。
【００１４】
ディマー制御処理は、周囲が暗い状況でのバックライトの消費電力を低減させたい場合に有効であり、低照度側の比較的小さい範囲（たとえば、０〜２００Ｌｘ）が、ディマー制御処理の照度レンジとなる。一方、映像補正処理は、周囲が明るい状況での表示パネルの視認性を向上させたい場合に有効であり、高照度側の比較的大きい範囲（たとえば、１０００〜１００００Ｌｘ）が、映像補正処理の照度レンジとなる。
【００１５】
このように、ディマー制御処理と映像補正処理とでは、使用する照度レンジが異なる。このため、照度検出部は、ディマー制御処理に適した検出範囲を持つ第１の回路および映像補正処理に適した検出範囲を持つ第２の回路を備える。
【００１６】
具体的には、照度検出部は、低照度側の比較的小さい範囲を検出範囲とする第１の回路を用いてディマー制御処理用の照度値である第１の照度値を出力する。また、照度検出部は、高照度側の比較的大きい範囲を検出範囲とする第２の回路を用いて映像補正処理用の照度値である第２の照度値を出力する。なお、第１の回路および第２の回路は、たとえば抵抗値がそれぞれ異なる抵抗等である。かかる照度検出部の具体的な構成については後述する。
【００１７】
また、照度検出部には照度の検出精度に個体間のバラつきがあるため、表示制御装置は、照度検出部から出力される照度値を補正する照度値補正部を備える。
【００１８】
具体的には、照度値補正部は、あらかじめ算出しておいた補正係数を用いて、照度検出部から出力される照度値を補正する。かかる補正係数は、たとえば、製品出荷前において照度検出部から出力される照度値を実際に測定することによって算出される。
【００１９】
ここで、上述したように照度検出部は、ディマー制御処理用の第１の回路および映像補正処理用の第２の回路を備える。このため、第１の回路を用いてディマー制御処理用の補正係数を算出するとともに、第２の回路を用いて映像補正処理用の補正係数を算出しておくことが考えられる。しかし、ディマー制御処理用の補正係数および映像補正処理用の補正係数の両方を算出することとすると、製造工数が増えてしまうため、好ましくない。
【００２０】
そこで、本願に係る表示制御手法では、製品出荷前においてディマー制御処理用の補正係数のみを算出しておき、かかるディマー制御処理用の補正係数を用いて第１の照度値および第２の照度値の双方を補正することとした。
【００２１】
ディマー制御処理は、映像補正処理と比較して照度レンジが小さいため、照度値がわずかにバラついただけで制御に大きな影響が及ぶおそれがある。一方、映像補正処理は、ディマー制御処理と比較して照度レンジが大きいため、照度値がわずかにバラついたとしても制御に大きな影響が及ぶことがない。
【００２２】
すなわち、映像補正処理用の照度値である第２の照度値は、ディマー制御処理用の照度値である第１の照度値と比較して、高い精度が要求されるものではない。このため、本願に係る表示制御手法では、映像補正処理についてはディマー制御処理用の補正係数を兼用することとし、映像処理用の補正係数を算出する工数を省略することとした。映像処理用の補正係数を算出する工数を省略すれば、製造工数を削減することができる。
【００２３】
このように、本願に係る表示制御手法では、照度検出部が、第１の回路を用いて第１の照度値を出力し、第１の回路よりも検出範囲が大きい第２の回路を用いて第２の照度値を出力する。また、本願に係る表示制御手法では、照度値補正部が、第１の照度値を補正するための補正係数を用いて第１の照度値および第２の照度値の双方を補正する。
【００２４】
そして、本願に係る表示制御手法では、ディマー制御部が、照度値補正部によって補正された第１の照度値に基づき、表示パネルへ光を照射するバックライトの発光量を制御し、映像補正部が、照度値補正部によって補正された第２の照度値に基づき、表示パネルに対して表示される映像の視認性を向上させることとした。
【００２５】
したがって、ディマー機能および映像補正機能の両方を備える場合の製造工数を削減することができる。
【００２６】
以下では、本願に係る表示制御装置についての実施例を詳細に説明する。なお、以下の実施例では、本願に係る表示制御装置を車載用表示装置へ適用した場合の例について説明するが、本願に係る表示制御装置は、車載用表示装置以外にも適用可能である。また、以下では、上述した映像補正処理を直射補正処理と呼ぶこととする。
【実施例】
【００２７】
まず、本実施例に係る表示制御装置の構成について図２を用いて説明する。図２は、表示制御装置の構成を示すブロック図である。なお、図２では、表示制御装置の特徴を説明するために必要な構成要素のみを示しており、一般的な構成要素についての記載を省略している。
【００２８】
図２に示すように、本実施例に係る表示制御装置１０は、表示装置２０の表示制御を行う装置である。表示装置２０は、表示パネル２１と、バックライト２２とを備える。表示パネル２１は、表示制御装置１０から出力される映像信号に応じた映像を表示する液晶表示パネルなどの表示部である。また、バックライト２２は、表示パネル２１の背面側に設けられたＬＥＤ（Light  Emitting  Diode）等の照明装置であり、表示パネル２１に対して背面側から光を照射する。
【００２９】
つづいて、表示制御装置１０の構成について説明する。表示制御装置１０は、照度センサ１１と、Ａ／Ｄ変換部１２と、バックライト駆動部１３と、制御部１４とを備える。
【００３０】
また、制御部１４は、切替制御部１４ａと、照度値補正部１４ｂと、直射補正部１４ｃと、ディマー制御部１４ｄとを備える。また、直射補正部１４ｃは、視認性補正部１４１と、彩度補正部１４２と、ブレンド部１４３とを備える。なお、制御部１４は、たとえば、ＡＳＩＣ（Application  Specific  Integrated  Circuit）などによって構成することができる。
【００３１】
照度センサ１１は、表示パネル２１の周辺に設けられ、表示パネル２１の周辺の照度を検出する。具体的には、照度センサ１１は、受光素子１１１と、スイッチ１１２と、第１の抵抗１１３と、第２の抵抗１１４とを備える。受光素子１１１は、入射光を電流へ変換する光電変換素子である。
【００３２】
スイッチ１１２は、受光素子１１１に接続される抵抗を第１の抵抗１１３と第２の抵抗１１４との間で切り替えるスイッチである。スイッチ１１２の切り替えタイミングは、切替制御部１４ａによって制御される。
【００３３】
第１の抵抗１１３および第２の抵抗１１４は、照度センサ１１から電圧出力（照度値）を取り出すための抵抗である。具体的には、第１の抵抗１１３は、ディマー制御処理用の照度値である第１の照度値を取り出すための抵抗であり、第２の抵抗１１４は、直射補正処理用の照度値である第２の照度値を取り出すための抵抗である。
【００３４】
ここで、第１の抵抗１１３および第２の抵抗１１４の検出範囲の違いについて図３を用いて説明する。図３は、第１の抵抗１１３および第２の抵抗１１４の検出範囲の一例を示す図である。
【００３５】
なお、図３には、０〜１００００Ｌｘの光を照度センサ１１へ照射した場合に照度センサ１１から出力される照度値（アナログ値）を、第１の抵抗１１３および第２の抵抗１１４ごとに示している。
【００３６】
図３に示すように、第１の抵抗１１３は、０〜２００Ｌｘの範囲で０〜２．５Ｖの照度値を出力する。一方、第２の抵抗１１４は、０〜１００００Ｌｘの範囲で０〜２．５Ｖの照度値を出力する。
【００３７】
このように、照度センサ１１は、第１の抵抗１１３を用いることで低照度側の比較的小さい範囲（０〜２００Ｌｘ）の照度を精度よく検出することができ、第２の抵抗１１４を用いることで高照度側の比較的大きい範囲（０〜１００００Ｌｘ）の照度を検出することができる。
【００３８】
すなわち、照度センサ１１に第１の抵抗１１３および第２の抵抗１１４を設けることにより、ディマー制御処理に適した第１の照度値および直射補正処理に適した第２の照度値をそれぞれ得ることができる。
【００３９】
なお、本実施例では、０〜２００Ｌｘをディマー制御処理の照度レンジとし、１０００〜１００００Ｌｘを直射補正処理の照度レンジとするが、ディマー制御処理および直射補正処理の照度レンジは、これに限定されるものではない。
【００４０】
図２に戻り、表示制御装置１０の説明を続ける。照度センサ１１は、スイッチ１１２が第１の抵抗１１３側に切り替わった状態である場合には、第１の照度値をＡ／Ｄ変換部１２へ出力し、スイッチ１１２が第２の抵抗１１４側に切り替わった状態である場合には、第２の照度値をＡ／Ｄ変換部１２へ出力する。
【００４１】
Ａ／Ｄ変換部１２は、照度センサ１１から出力された照度値をアナログ値からデジタル値へ変換する処理部である。Ａ／Ｄ変換部１２によってデジタル値へ変換された照度値は、照度値補正部１４ｂへ出力される。
【００４２】
なお、以下では、Ａ／Ｄ変換部１２によってデジタル値へ変換された第１の照度値および第２の照度値を単に「第１の照度値」および「第２の照度値」と呼ぶこととする。
【００４３】
バックライト駆動部１３は、ディマー制御部１４ｄからの指示に従い、バックライト２２の発光量が目標発光量となるようにパルス幅が調整されたＰＷＭ（Pulse  Width  Modulation）信号を生成してバックライト２２へ出力する処理部である。
【００４４】
制御部１４は、表示制御装置１０全体を制御する制御部である。切替制御部１４ａは、照度センサ１１からの出力を第１の照度値と第２の照度値との間で切り替える処理部である。
【００４５】
ここで、切替制御部１４ａは、照度センサ１１から出力される照度値に基づいてスイッチ１１２を切り替えることとしてもよいが、照度が急激に変化した場合などに切り替えが遅れてしまう可能性がある。
【００４６】
そこで、切替制御部１４ａは、照度センサ１１のスイッチ１１２の切り替えを所定の切替周期で行うこととした。以下では、切替制御部１４ａによるスイッチ１１２の切替動作について図４を用いて説明する。図４は、スイッチ１１２の切り替えタイミングの一例を示す図である。
【００４７】
図４に示すように、切替制御部１４ａは、スイッチ１１２を所定の切替周期Ｔ１，Ｔ２で切り替える。たとえば、切替制御部１４ａは、スイッチ１１２を第１の抵抗１１３側へ切り替えてから第１の切替周期Ｔ１が経過すると、スイッチ１１２を第２の抵抗１１４側へ切り替える。そして、切替制御部１４ａは、スイッチ１１２を第２の抵抗１１４側へ切り替えてから第２の切替周期Ｔ２が経過すると、スイッチ１１２を再び第１の抵抗１１３側へ切り替える。
【００４８】
これにより、照度センサ１１は、スイッチ１１２が第１の抵抗１１３側へ切り替わってから第１の切替周期Ｔ１が経過するまでの間は、第１の照度値を出力し、スイッチ１１２が第２の抵抗１１４側へ切り替わってから第２の切替周期Ｔ２が経過するまでの間は、第２の照度値を出力することとなる。
【００４９】
ここで、ディマー制御処理は、使用する照度レンジが小さいため、第１の照度値がわずかにバラついただけで制御に大きな影響が及ぶおそれがある。このため、第１の照度値は、第２の照度値よりも高精度であることが好ましい。
【００５０】
そこで、切替制御部１４ａでは、第１の照度値へ切り替えてから第２の照度値へ切り替えるまでの第１の切替周期Ｔ１が、第２の照度値へ切り替えてから第１の照度値へ切り替えるまでの第２の切替周期Ｔ２よりも長く設定される。これにより、第１の照度値の精度を高めることができる。
【００５１】
具体的には、Ａ／Ｄ変換部１２は、照度センサ１１から出力される第１の照度値または第２の照度値のアナログ値を一定のタイミングで取得することによってデジタル値へ変換して照度値補正部１４ｂへ出力する。
【００５２】
このとき、第１の切替周期Ｔ１が第２の切替周期Ｔ２よりも長く設定されているため、Ａ／Ｄ変換部１２による第１の照度値の取得回数が第２の照度値の取得回数よりも多くなる。図４では、第１の切替周期Ｔ１において第１の照度値が３回取得され、第２の切替周期Ｔ２において第２の照度値が１回取得される場合の例を示している。
【００５３】
この結果、たとえば、照度値取得タイミングＡ１において取得された第２の照度値の補正後の値Ｉａ１が照度値取得タイミングＡ２において取得された第２の照度値の補正後の値Ｉａ２へ更新されるまでの間に、第１の照度値の補正後の値は３回更新されることとなる（タイミングＢ１〜Ｂ３および補正後の第１の照度値Ｉｂ１〜Ｉｂ３参照）。
【００５４】
このように、第１の切替周期Ｔ１を第２の切替周期Ｔ２よりも長く設定することで、第１の照度値の更新回数が第２の照度値の更新回数よりも多くすることができるため、第２の照度値と比較して第１の照度値の精度を高めることができる。
【００５５】
なお、図４に示すように、第２の照度値から第１の照度値へ切り替わった場合に第１の照度値が安定するまでの時間ｔ１は、第１の照度値から第２の照度値へ切り替わった場合に第２の照度値が安定するまでの時間ｔ２よりも長い。たとえば、時間ｔ１は１０ｍｓであり、時間ｔ２は１ｍｓである。
【００５６】
したがって、かかる点からも、第１の切替周期Ｔ１を第２の切替周期Ｔ２よりも長く設定することが好ましい。すなわち、第１の切替周期Ｔ１を第２の切替周期Ｔ２よりも長く設定することによって、安定する前の第１の照度値を取得したとしても、かかる第１の照度値による影響を低減することができる。
【００５７】
なお、図４では、切替制御部１４ａがスイッチ１１２を所定周期で交互に切り替える場合の例を示したが、これに限ったものではなく、照度センサ１１から出力される第１の照度値または第２の照度値に基づいて切り替えてもよい。たとえば、切替制御部１４ａは、第１の照度値が２．５Ｖを超えた場合に、スイッチ１１２を第１の抵抗１１３側から第２の抵抗１１４側へ切り替えることとしてもよい。
【００５８】
また、切替制御部１４ａは、スイッチ１１２の状態、すなわち、スイッチ１１２が第１の抵抗１１３側へ切り替わった状態であるか、第２の抵抗１１４側へ切り替わった状態であるかを照度値補正部１４ｂへ通知する処理も併せて行う。
【００５９】
図２に戻り、照度値補正部１４ｂについて説明する。照度値補正部１４ｂは、Ａ／Ｄ変換部１２から入力される第１の照度値または第２の照度値を補正したうえで、直射補正部１４ｃまたはディマー制御部１４ｄへ出力する処理部である。
【００６０】
照度値補正部１４ｂは、第１の照度値を補正するための補正係数（以下、「ディマー制御用補正係数」と記載する）を用いて第１の照度値および第２の照度値の双方を補正する。ディマー制御用補正係数は、製品出荷前において、照度センサ１１から出力される第１の照度値と実際の照度とのずれを測定することによって算出される係数である。
【００６１】
ここで、ディマー制御用補正係数の算出処理について図５を用いて説明する。図５は、ディマー制御用補正係数の算出処理を説明するための図である。
【００６２】
図５に示すように、照度が０Ｌｘの場合に０の値を取り、照度が２００Ｌｘの場合に２５５の値を取るように、照度センサ１１から出力される第１の照度値を補正するディマー制御用補正係数を算出する。
【００６３】
具体的には、製品出荷前において、ディマー制御処理の照度レンジ（０〜２００Ｌｘ）に属する所定の基準光（ここでは、１００Ｌｘの基準光とする）を照度センサ１１へ照射する。このとき、スイッチ１１２は、第１の抵抗１１３側へ切り替わった状態としておく。
【００６４】
そして、照度センサ１１から出力される第１の照度値を測定し、この実測値（デジタル値）を、照度値が１００Ｌｘの場合における理想値と一致させる係数をディマー制御用補正係数として算出する。たとえば、第１の照度値の実測値がｘであり、理想値がｙである場合、ディマー制御用補正係数は、ｙ／ｘとなる。
【００６５】
このように、ディマー制御用補正係数は、所定の基準光を照度センサ１１へ照射した場合における第１の照度値の実測値および理想値に基づいて算出される。
【００６６】
照度値補正部１４ｂは、このディマー制御用補正係数を用いて第１の照度値の補正だけでなく第２の照度値の補正も行う。すなわち、直射補正処理用の照度値である第２の照度値は、ディマー制御処理用の照度値である第１の照度値と比較して、高い精度が要求されるものではない。
【００６７】
このため、照度値補正部１４ｂは、直射補正処理用の照度値である第２の照度値についてはディマー制御用補正係数を兼用して補正することとし、直射補正処理用の補正係数を算出する工数を省略することとした。このように、直射補正処理用の補正係数を算出する工数を省略することで、製造工数を削減することができる。
【００６８】
なお、照度値補正部１４ｂは、補正後の照度値の出力先を、切替制御部１４ａから通知されるスイッチ１１２の状態に応じて決定する。すなわち、照度値補正部１４ｂは、スイッチ１１２が第１の抵抗１１３側へ切り替わった状態であることが切替制御部１４ａから通知されている場合には、補正後の照度値（すなわち、補正後の第１の照度値）をディマー制御部１４ｄへ出力する。
【００６９】
また、照度値補正部１４ｂは、スイッチ１１２が第２の抵抗１１４側へ切り替わった状態であることが切替制御部１４ａから通知されている場合には、補正後の照度値（すなわち、補正後の第２の照度値）を直射補正部１４ｃへ出力する。
【００７０】
このように、照度値補正部１４ｂは、照度センサ１１からの出力が第１の照度値に切り替わった状態である場合に、ディマー制御用補正係数を用いて第１の照度値を補正したうえでディマー制御部１４ｄへ出力する。また、照度値補正部１４ｂは、照度センサ１１からの出力が第２の照度値に切り替わった状態である場合に、ディマー制御用補正係数を用いて第２の照度値を補正したうえで直射補正部１４ｃへ出力する。
【００７１】
直射補正部１４ｃは、直射日光等の影響によって表示映像の視認性の低下を抑制するために、照度値補正部１４ｂから入力される第２の照度値（すなわち、補正後の第２の照度値）に応じて映像情報を補正する。具体的には、直射補正部１４ｃは、視認性補正部１４１、彩度補正部１４２およびブレンド部１４３を備える。
【００７２】
視認性補正部１４１は、外部装置から映像信号が入力された場合に、映像信号に応じた映像に含まれる輪郭部分を際立たせるようにエッジ補正を行い、補正後の映像情報を彩度補正部１４２へ出力する処理部である。
【００７３】
なお、映像信号としては、車両周辺を撮像する車載カメラから入力される撮像映像の信号、カーナビゲーション装置から入力されるナビゲーション用の映像信号、ＤＶＤ再生装置から入力されるＤＶＤの映像信号、デジタルテレビ放送受信装置から入力されるＴＶ映像の信号などがある。
【００７４】
彩度補正部１４２は、視認性補正部１４１によって補正された映像信号に応じた映像に含まれる中間色を原色へ近づけるように階調補正を行い、補正後の映像信号をブレンド部１４３へ出力する。これらの視認性補正部１４１および彩度補正部１４２の処理によって、直射日光等の影響が最も強い状況の下で最も視認性が向上するように補正された映像信号（以下、「改善映像信号」と記載する）が生成される。
【００７５】
ブレンド部１４３は、外部装置から入力された映像信号（原映像信号）に対して彩度補正部１４２から出力される改善映像信号を、照度値補正部１４ｂから入力された第２の照度値に応じたブレンド比でブレンドする処理部である。
【００７６】
具体的には、ブレンド部１４３は、第２の照度値が高いほど、ブレンド後の映像信号に占める改善映像信号のブレンド率が高く、原映像信号のブレンド率が低くなるようにブレンド比を調整する。ブレンド部１４３は、ブレンド後の映像信号を表示パネル２１へ出力する。
【００７７】
ディマー制御部１４ｄは、照度値補正部１４ｂから入力された補正後の第１の照度値に基づいてバックライト２２の発光量を制御する処理部である。具体的には、ディマー制御部１４ｄは、補正後の第１の照度値に応じたパルス幅のＰＷＭ信号を出力するようにバックライト駆動部１３に対して指示する。
【００７８】
たとえば、補正後の第１の照度値が小さくなった（すなわち、表示パネル２１の周辺が暗くなった）場合には、パルス幅のより狭いＰＷＭ信号を出力するようにバックライト駆動部１３に対して指示する。この結果、バックライト２２は、表示パネル２１の周辺が暗くなるに従って発光量が少なくなるように制御される。
【００７９】
次に、表示制御装置１０の具体的動作について図６を用いて説明する。図６は、表示制御装置１０が実行する処理手順を示すフローチャートである。
【００８０】
図６に示すように、表示制御装置１０では、照度値補正部１４ｂが、スイッチ１１２が第１の抵抗１１３側に切り替わった状態であるか否かを判定する（ステップＳ１０１）。かかる判定は、切替制御部１４ａから通知されるスイッチ１１２の状態に基づいて行われる。
【００８１】
ステップＳ１０１においてスイッチ１１２が第１の抵抗１１３側に切り替わった状態であると判定すると（ステップＳ１０１，Ｙｅｓ）、照度値補正部１４ｂは、Ａ／Ｄ変換部１２から第１の照度値を取得し（ステップＳ１０２）、ディマー制御用補正係数を用いて第１の照度値を補正する（ステップＳ１０３）。
【００８２】
具体的には、照度値補正部１４ｂは、Ａ／Ｄ変換部１２から取得した第１の照度値に対してディマー制御用補正係数を乗じる。なお、ディマー制御用補正係数は、図示しない記憶部にあらかじめ記憶される。
【００８３】
そして、表示制御装置１０では、照度値補正部１４ｂが、補正後の第１の照度値をディマー制御部１４ｄへ出力し（ステップＳ１０４）、ディマー制御部１４ｄが、補正後の第１の照度値を用いてディマー制御処理を行う（ステップＳ１０５）。
【００８４】
一方、ステップＳ１０１においてスイッチ１１２が第１の抵抗１１３側に切り替わった状態でない場合（ステップＳ１０１，Ｎｏ）、照度値補正部１４ｂは、Ａ／Ｄ変換部１２から第２の照度値を取得し（ステップＳ１０６）、ディマー制御用補正係数を用いて第２の照度値を補正する（ステップＳ１０７）。具体的には、照度値補正部１４ｂは、Ａ／Ｄ変換部１２から取得した第２の照度値に対してディマー制御用補正係数を乗じる。
【００８５】
そして、表示制御装置１０では、照度値補正部１４ｂが、補正後の第２の照度値を直射補正部１４ｃへ出力し（ステップＳ１０８）、直射補正部１４ｃが、補正後の第２の照度値を用いて直射補正処理を行う（ステップＳ１０９）。
【００８６】
上述してきたように、本実施例では、照度センサ１１が、第１の抵抗１１３を用いて第１の照度値を出力し、第１の回路よりも照度の検出範囲が大きい第２の抵抗１１４を用いて第２の照度値を出力し、照度値補正部１４ｂが、第１の照度値を補正する補正係数を用いて第１の照度値および第２の照度値の双方を補正する。
【００８７】
そして、本実施例では、ディマー制御部１４ｄが、照度値補正部１４ｂによって補正された第１の照度値に基づき、表示パネル２１へ光を照射するバックライト２２の発光量を制御し、直射補正部１４ｃが、照度値補正部１４ｂによって補正された第２の照度値に基づき、表示パネル２１に対して表示される映像の視認性を向上させることとした。したがって、ディマー機能および映像補正機能の両方を備える場合の製造工数を削減することができる。
【００８８】
以上、本願に係る表示制御装置の実施例のいくつかを図面に基づいて詳細に説明したが、これらは例示であり、当業者の知識に基づいて種々の変形、改良を施した他の形態で本発明を実施することが可能である。
【産業上の利用可能性】
【００８９】
以上のように、本願に係る表示制御装置は、ディマー機能および映像補正機能の両方を備える場合の製造工数を削減したい場合に有効であり、特に、車載用表示装置への適用が考えられる。
【符号の説明】
【００９０】
１０    表示制御装置
１１    照度センサ
１１１    受光素子
１１２    スイッチ
１１３    第１の抵抗
１１４    第２の抵抗
１２    Ａ／Ｄ変換部
１３    バックライト駆動部
１４    制御部
１４ａ  切替制御部
１４ｂ  照度値補正部
１４ｃ  直射補正部
１４ｄ  ディマー制御部
１４１    視認性補正部
１４２    彩度補正部
１４３    ブレンド部
２０    表示装置
２１    表示パネル
２２    バックライト
【図１】
2012220738.tif 000003
【図２】
2012220738.tif 000004
【図３】
2012220738.tif 000005
【図４】
2012220738.tif 000006
【図５】
2012220738.tif 000007
【図６】
2012220738.tif 000008